(57)【要約】【課題】  机上に置いたメモ帳を簡易な構成により滑り止め可能にすること。【解決手段】  メモ用紙２１の積層体２０の一端面に設けた背糊部２３によりそれらメモ用紙２１を接着して一体にし、積層体２０の裏面に台紙３０を貼着してなるメモ帳１０において、台紙３０の裏面に防滑材４０を被覆してなるもの。【選択図】  図１
0003121848.tif 000002
【実用新案登録請求の範囲】
【請求項１】
メモ用紙の積層体の一端面に設けた背糊部によりそれらメモ用紙を接着して一体にし、積層体の裏面に台紙を貼着してなるメモ帳において、
台紙の裏面に防滑材を被覆してなることを特徴とするメモ帳。
【請求項２】
前記台紙が前記積層体の背糊部よりも外方に延長されて該背糊部に相対する延長部を有し、該延長部をペン置き及び広告面として使用可能にする請求項１に記載のメモ帳。
【請求項３】
前記積層体の最下層にメモ用紙より厚い厚紙を設け、前記背糊部によりそれらメモ用紙と厚紙を接着して一体にし、この厚紙の裏面に前記台紙を貼着してなる請求項１又は２に記載のメモ帳。
【請求項４】
前記台紙の裏面における前記積層体の背糊部寄りの一部に延長板紙を貼着してなり、該延長板紙は積層体の背糊部よりも外方に延長されて該背糊部に相対する延長部を有し、該延長部をペン置き及び広告面として使用可能にする請求項１に記載のメモ帳。
【請求項５】
前記積層体の最下層にメモ用紙より厚い前記台紙を設け、前記背糊部によりそれらメモ用紙と台紙を接着して一体にしてなる請求項１又は４に記載のメモ帳。
【考案の詳細な説明】
【技術分野】
【０００１】
本考案は電話等に際して用いるに好適なメモ帳に関する。
【背景技術】
【０００２】
従来、特許文献１に記載の如く、多数枚のメモ用紙を冊子状にしたメモ帳として、メモ用紙の積層体の一端面に設けた背糊部によりそれらメモ用紙を接着して一体にし、積層体の裏面に台紙を貼着してなるものがある。
【特許文献１】特開平8-90955
【考案の開示】
【考案が解決しようとする課題】
【０００３】
従来のメモ帳は、台紙の裏面に滑り止め機能を有していない。このため、このメモ帳を電話機の横の机上に置き、片手で受話器を持ち、もう一方の片手に持ったペンを用いてメモ用紙に電話の用件をメモ書きしようとするとき、メモ帳が机上にて滑りうまく書けないという問題点がある。
【０００４】
本考案の課題は、机上に置いたメモ帳を簡易な構成により滑り止め可能にすることにある。
【課題を解決するための手段】
【０００５】
請求項１の考案は、メモ用紙の積層体の一端面に設けた背糊部によりそれらメモ用紙を接着して一体にし、積層体の裏面に台紙を貼着してなるメモ帳において、台紙の裏面に防滑材を被覆してなるようにしたものである。
【０００６】
請求項２の考案は、請求項１の考案において更に、前記台紙が前記積層体の背糊部よりも外方に延長されて該背糊部に相対する延長部を有し、該延長部をペン置き及び広告面として使用可能にするようにしたものである。
【０００７】
請求項３の考案は、請求項１又は２の考案において更に、前記積層体の最下層にメモ用紙より厚い厚紙を設け、前記背糊部によりそれらメモ用紙と厚紙を接着して一体にし、この厚紙の裏面に前記台紙を貼着してなるようにしたものである。
【０００８】
請求項４の考案は、請求項１の考案において更に、前記台紙の裏面における前記積層体の背糊部寄りの一部に延長板紙を貼着してなり、該延長板紙は積層体の背糊部よりも外方に延長されて該背糊部に相対する延長部を有し、該延長部をペン置き及び広告面として使用可能にするようにしたものである。
【０００９】
請求項５の考案は、請求項１又は４の考案において更に、前記積層体の最下層にメモ用紙より厚い前記台紙を設け、前記背糊部によりそれらメモ用紙と台紙を接着して一体にしてなるようにしたものである。
【考案の効果】
【００１０】
（請求項１）
(a)メモ帳の台紙の裏面に防滑材を被覆した。従って、このメモ帳を電話機の横の机上に置き、片手で受話器を持ち、もう一方の片手に持ったペンを用いてメモ用紙に電話の用件をメモ書きしようとするとき、メモ帳が簡易な構成により設けられた防滑材の存在によって机上にて滑り止めされ、うまく書ける。
【００１１】
（請求項２）
(b)メモ帳の台紙を単に延長することにより、その延長部をペン置き及び広告面として使用できる。メモ帳が簡易なペン置きを台紙によって形成することにより、メモ帳の側傍に常にペンを待機させておくことができ、メモ帳の使い勝手を向上できる。メモ帳が簡易な広告面を台紙によって形成することにより、メモ帳を使い切るまで、机上にて広告機能を全うすることができる。このとき、台紙の全巾を延長部として机上の側から立上げ、この立上げ面を広告面とすることにより、広く視認性の良い広告面を得ることができる。
【００１２】
（請求項３）
(c)メモ帳が積層体の最下層にメモ用紙より厚い厚紙を設け、背糊部によりそれらメモ用紙と厚紙を接着して一体にし、この厚紙の裏面に台紙を貼着した。メモ用紙の積層体が、背糊部のうちの厚紙に対応する厚い糊代（図３のｔ）部分を介して厚手の厚紙に接着され、この厚紙の裏面に台紙が貼着される。台紙が貼着される厚紙が、厚い糊代を介してメモ用紙の積層体に強固に接着されるから、積層体が台紙の側から剥落することがない。
【００１３】
（請求項４）
(d)メモ帳の台紙の裏面の一部に延長板紙を貼着することにより、延長板紙の延長部をペン置き及び広告面として使用できる。メモ帳が簡易なペン置きを延長板紙によって形成することにより、メモ帳の側傍に常にペンを待機させておくことができ、メモ帳の使い勝手を向上できる。メモ帳が簡易な広告面を延長板紙によって形成することにより、メモ帳を使い切るまで、机上にて広告機能を全うすることができる。このとき、延長板紙の全巾を延長部として机上の側から立上げ、この立上げ面を広告面とすることにより、広く視認性の良い広告面を得ることができる。
【００１４】
（請求項５）
(e)メモ帳が積層体の最下層にメモ用紙より厚い台紙を設け、背糊部によりそれらメモ用紙と台紙を接着して一体にした。メモ用紙の積層体が、背糊部のうちの台紙に対応する厚い糊代（図６のｔ）部分を介して厚手の台紙に接着される。台紙が厚い糊代を介してメモ用紙の積層体に強固に接着されるから、積層体が台紙の側から剥落することがない。
【考案を実施するための最良の形態】
【００１５】
図１は実施例１のメモ帳を示し、（Ａ）は斜視図、（Ｂ）は側面図、図２はメモ帳の使用例を示す斜視図、図３はメモ帳の要部を示し、（Ａ）はメモ用紙の積層体と厚紙の接着構造を示す側面図、（Ｂ）は厚紙と台紙の貼着構造を示す側面図、図４はメモ帳の変形例を示す側面図、図５は実施例２のメモ帳を示し、（Ａ）は裏側から視た斜視図、（Ｂ）は側面図、図６はメモ帳の要部を示し、（Ａ）はメモ用紙の積層体と台紙の接着構造を示す側面図、（Ｂ）は防滑材の被覆構造を示す側面図、（Ｃ）は延長板紙の貼着構造を示す側面図である。
【実施例】
【００１６】
（実施例１）
メモ帳１０は、図１〜図３に示す如くの矩形状をなし、多数枚のメモ用紙２１を冊子状にしたものである。メモ用紙２１の積層体２０の最下層に各メモ用紙２１より厚い厚紙２２を設け、積層体２０と厚紙２２の一端面に糊を塗布してなる背糊部２３を設け、それらメモ用紙２１と厚紙２２をそれらの一端面にて接着して一体にし、この厚紙２２の裏面に設けた裏糊部２４により台紙３０を貼着してなる。メモ用紙２１は例えば上質紙、台紙３０は例えばケント紙にて構成できる。
【００１７】
メモ帳１０は、台紙３０の裏面に防滑材４０を被覆してなる。防滑材４０は、例えば、アクリル系発泡剤とアクリル系樹脂の混合物、又はアクリル系発泡剤とウレタン系樹脂の混合物にて構成され、これらの混合物からなる防滑性シート等を台紙３０の裏面に貼着する形態、又はこれらの混合物を台紙３０の裏面に塗布された被覆層の形態にて構成できる。防滑材４０の被覆範囲は、台紙３０の裏面の一部でも良く、全面でも良い。
【００１８】
メモ帳１０は、台紙３０が積層体２０及び厚紙２２の背糊部２３よりも外方に延長されて背糊部２３に相対する延長部３１を有し、延長部３１をペン置き３２及び広告面３３として使用可能にする。延長部３１は、メモ帳１０の使用前段階で、図１（Ｂ）に２点鎖線によって示す如く、台紙３０の裏面から延在して背糊部２３に沿う中間片３１Ａと、中間片３１Ａから延在して積層体２０の最上層のメモ用紙２１に沿う舌片３１Ｂとからなる。舌片３１Ｂの先端辺の両コーナー部に丸味を付してある。
【００１９】
メモ帳１０は、机上に置かれた使用段階で、延長部３１の中間片３１Ａを背糊部２３から外方に離隔し、舌片３１Ｂを台紙３０の底面に対して斜め又は鉛直に立上げる。そして、延長部３１の中間片３１Ａと舌片３１Ｂが背糊部２３との間に区画する凹所をペン置き３２とし、このペン置き３２にペン５０を載置可能にする（図１）。ペン５０のクリップを舌片３１Ｂに挟みつけても良く、これによれば、メモ帳１０の移動時にペン５０をメモ帳１０に簡易に取付けて携行できる（図２）。また、台紙３０の底面に対して立上がる舌片３１Ｂを広告面３３とし、このメモ帳１０を提供する会社名等を印刷表示可能にする。
【００２０】
メモ帳１０は以下の如くにより製造される。
(1)メモ用紙２１の積層体２０と厚紙２２の一端面に背糊部２３を設け、それらメモ用紙２１と厚紙２２を接着して一体にする（図３（Ａ））。
【００２１】
(2)上述(1)の厚紙２２の裏面に裏糊部２４を設け、厚紙２２の裏面に台紙３０を貼着する。
【００２２】
(3)上述(2)の台紙３０の裏面に防滑材４０を被覆する（図３（Ｂ））。
【００２３】
本実施例によれば以下の作用効果を奏する。
(a)メモ帳１０の台紙３０の裏面に防滑材４０を被覆した。従って、このメモ帳１０を電話機の横の机上に置き、片手で受話器を持ち、もう一方の片手に持ったペン５０を用いてメモ用紙２１に電話の用件をメモ書きしようとするとき、メモ帳１０が簡易な構成により設けられた防滑材４０の存在によって机上にて滑り止めされ、うまく書ける。
【００２４】
(b)メモ帳１０の台紙３０を単に延長することにより、その延長部３１をペン置き３２及び広告面３３として使用できる。メモ帳１０が簡易なペン置き３２を台紙３０によって形成することにより、メモ帳１０の側傍に常にペン５０を待機させておくことができ、メモ帳１０の使い勝手を向上できる。メモ帳１０が簡易な広告面３３を台紙３０によって形成することにより、メモ帳１０を使い切るまで、机上にて広告機能を全うすることができる。このとき、台紙３０の全巾を延長部３１として机上の側から立上げ、この立上げ面を広告面３３とすることにより、広く視認性の良い広告面３３を得ることができる。
【００２５】
(c)メモ帳１０が積層体２０の最下層にメモ用紙２１より厚い厚紙２２を設け、背糊部２３によりそれらメモ用紙２１と厚紙２２を接着して一体にし、この厚紙２２の裏面に台紙３０を貼着した。メモ用紙２１の積層体２０が、背糊部２３のうちの厚紙２２に対応する厚い糊代（図３のｔ）部分を介して厚手の厚紙２２に接着され、この厚紙２２の裏面に台紙３０が貼着される。台紙３０が貼着される厚紙２２が、厚い糊代を介してメモ用紙２１の積層体２０に強固に接着されるから、積層体２０が台紙３０の側から剥落することがない。
【００２６】
尚、本発明の実施において、積層体２０の最下層に厚紙２２を設けない場合には、図４に示す如くになる。メモ用紙２１の積層体２０の一端面に背糊部２３を設け、それら薄いメモ用紙２１同士を接着して一体にする。そして、積層体２０の最下層のメモ用紙２１に裏糊部２４を設け、最下層のメモ用紙２１の裏面に台紙３０を貼着する。従って、積層体２０の各メモ用紙２１を互いに薄い糊代により接着し、台紙３０が最下層のメモ用紙２１の裏面に直接的に貼着される。台紙３０が貼着された最下層のメモ用紙２１は薄い糊代を介してその上層のメモ用紙２１に接着されているにすぎず、積層体２０が台紙３０の側から剥落するおそれがある。
【００２７】
（実施例２）
メモ帳１０Ａは、図５、図６に示す如くの矩形状をなし、多数枚のメモ用紙２１を冊子状にしたものである。メモ用紙２１の積層体２０の最下層に各メモ用紙２１より厚い台紙３０を設け、積層体２０と台紙３０の一端面に糊を塗布してなる背糊部２３を設け、それらメモ用紙２１と台紙３０をそれらの一端面にて接着して一体にしてなる。メモ用紙２１は例えば上質紙、台紙３０は例えばケント紙にて構成できる。
【００２８】
メモ帳１０Ａは、台紙３０の裏面に防滑材４０を被覆してなる。防滑材４０は、例えば、アクリル系発泡剤とアクリル系樹脂の混合物、又はアクリル系発泡剤とウレタン系樹脂の混合物にて構成され、これらの混合物からなる防滑性シート等を台紙３０の裏面に貼着する形態、又はこれらの混合物を台紙３０の裏面に塗布された被覆層の形態にて構成できる。防滑材４０の被覆範囲は、台紙３０の裏面の一部でも良く、全面でも良い。
【００２９】
メモ帳１０Ａは、台紙３０の裏面における積層体２０の背糊部２３寄りの一部に設けた裏糊部２４により延長板紙３０Ａの基端部が貼着される。延長板紙３０Ａは、積層体２０及び台紙３０の背糊部２３よりも外方に延長されて背糊部２３に相対する延長部３１を有し、延長部３１をペン置き３２及び広告面３３として使用可能にする。延長部３１は、メモ帳１０Ａの使用前段階で、図５（Ｂ）に２点鎖線によって示す如く、台紙３０の底面の側から延在して背糊部２３に沿う中間片３１Ａと、中間片３１Ａから延在して積層体２０の最上層のメモ用紙２１に沿う舌片３１Ｂとからなる。舌片３１Ｂの先端辺の両コーナー部に丸味を付してある。
【００３０】
メモ帳１０Ａは、机上に置かれた使用段階で、延長部３１の中間片３１Ａを背糊部２３から外方に離隔し、舌片３１Ｂを台紙３０の底面に対して斜め又は鉛直に立上げる。そして、延長部３１の中間片３１Ａと舌片３１Ｂが背糊部２３との間に区画する凹所をペン置き３２とし、このペン置き３２にペン５０を載置可能にする（図５）。ペン５０のクリップを舌片３１Ｂに挟みつけても良く、これによれば、メモ帳１０の移動時にペン５０をメモ帳１０に簡易に取付けて携行できる。また、台紙３０の底面に対して立上がる舌片３１Ｂを広告面３３とし、このメモ帳１０Ａを提供する会社名等を印刷表示可能にする。
【００３１】
メモ帳１０Ａは以下の如くにより製造される。
(1)メモ用紙２１の積層体２０と台紙３０の一端面に背糊部２３を設け、それらメモ用紙２１と台紙３０を接着して一体にする（図６（Ａ））。
【００３２】
(2)上述(1)の台紙３０の裏面に防滑材４０を被覆する（図６（Ｂ））。
【００３３】
(3)上述(2)の台紙３０の裏面の一部に裏糊部２４を設け、延長板紙３０Ａの基端部を貼着する（図６（Ｃ））。台紙３０の裏面の全面に防滑材４０が被覆されているときには、延長板紙３０Ａの基端部は防滑材４０の上に貼着される。台紙３０の裏面において、延長板紙３０Ａが貼着される範囲に防滑材４０が貼着されていないときには、延長板紙３０Ａの基端部は台紙３０の裏面に直接貼着される。
【００３４】
本実施例によれば以下の作用効果を奏する。
(a)メモ帳１０の台紙３０の裏面に防滑材４０を被覆した。従って、このメモ帳１０を電話機の横の机上に置き、片手で受話器を持ち、もう一方の片手に持ったペン５０を用いてメモ用紙２１に電話の用件をメモ書きしようとするとき、メモ帳１０が簡易な構成により設けられた防滑材４０の存在によって机上にて滑り止めされ、うまく書ける。
【００３５】
(b)メモ帳１０の台紙３０の裏面に延長板紙３０Ａを貼着したことにより、延長板紙３０Ａの延長部３１をペン置き３２及び広告面３３として使用できる。メモ帳１０が簡易なペン置き３２を延長板紙３０Ａによって形成することにより、メモ帳１０の側傍に常にペン５０を待機させておくことができ、メモ帳１０の使い勝手を向上できる。メモ帳１０が簡易な広告面３３を延長板紙３０Ａによって形成することにより、メモ帳１０を使い切るまで、机上にて広告機能を全うすることができる。このとき、延長板紙３０Ａの全巾を延長部３１として机上の側から立上げ、この立上げ面を広告面３３とすることにより、広く視認性の良い広告面３３を得ることができる。
【００３６】
(c)メモ帳１０が積層体２０の最下層にメモ用紙２１より厚い台紙３０を設け、背糊部２３によりそれらメモ用紙２１と台紙３０を接着して一体にした。メモ用紙２１の積層体２０が、背糊部２３のうちの台紙３０に対応する厚い糊代（図６のｔ）部分を介して厚手の台紙３０に接着される。台紙３０が厚い糊代を介してメモ用紙２１の積層体２０に強固に接着されるから、積層体２０が台紙３０の側から剥落することがない。
【００３７】
以上、本考案の実施例を図面により詳述したが、本考案の具体的な構成はこの実施例に限られるものではなく、本考案の要旨を逸脱しない範囲の設計の変更等があっても本考案に含まれる。
【図面の簡単な説明】
【００３８】
【図１】図１は実施例１のメモ帳を示し、（Ａ）は斜視図、（Ｂ）は側面図である。
【図２】図２はメモ帳の使用例を示す斜視図である。
【図３】図３はメモ帳の要部を示し、（Ａ）はメモ用紙の積層体と厚紙の接着構造を示す側面図、（Ｂ）は厚紙と台紙の貼着構造を示す側面図である。
【図４】図４はメモ帳の変形例を示す側面図である。
【図５】図５は実施例２のメモ帳を示し、（Ａ）は裏側から視た斜視図、（Ｂ）は側面図である。
【図６】図６はメモ帳の要部を示し、（Ａ）はメモ用紙の積層体と台紙の接着構造を示す側面図、（Ｂ）は防滑材の被覆構造を示す側面図、（Ｃ）は延長板紙の貼着構造を示す側面図である。
【符号の説明】
【００３９】
１０、１０Ａ  メモ帳
２０  積層体
２１  メモ用紙
２２  厚紙
２３  背糊部
２４  裏糊部
３０  台紙
３０Ａ  延長板紙
３１  延長部
３２  ペン置き
３３  広告面
４０  防滑材
５０  ペン
【図１】
0003121848.tif 000003
【図２】
0003121848.tif 000004
【図３】
0003121848.tif 000005
【図４】
0003121848.tif 000006
【図５】
0003121848.tif 000007
【図６】
0003121848.tif 000008
【手続補正書】
【提出日】平成18年3月15日(2006.3.15)
【手続補正１】
【補正対象書類名】図面
【補正対象項目名】図１
【補正方法】変更
【補正の内容】
【図１】
0003121848.tif 000009
【手続補正２】
【補正対象書類名】図面
【補正対象項目名】図２
【補正方法】変更
【補正の内容】
【図２】
0003121848.tif 000010